(57)【要約】【課題】閉塞部材のアーム部近傍における部材の実装面積を増加させることができる電子機器を提供する。【解決手段】開口部２５を有する筐体２と、開口部２５を閉塞する閉塞部材９０とを備える電子機器であって、筐体２は、内部部材を含み、閉塞部材９０は、開口部２５に嵌合される本体部９１と、本体部９１から延設され筐体２の内部に挿入配置されるアーム部９２とを有し、筐体２の内部には、アーム部９２を、開口部２５から筐体２の内部に向かう第１方向Ｘにスライド可能に保持するアーム部保持部２７が設けられており、閉塞部材９０は、アーム部９２から前記内部部材に向かう第２方向Ｙに起立すると共に前記内部部材に当接し得る規制リブ９３を更に有する。【選択図】図６
2009182729.tif 000002
【特許請求の範囲】
【請求項１】
開口部を有する筐体と、該開口部を閉塞する閉塞部材とを備える電子機器であって、
前記筐体は、内部部材を含み、
前記閉塞部材は、前記開口部に嵌合される本体部と、該本体部から延設され前記筐体の内部に挿入配置されるアーム部とを有し、
前記筐体の内部には、前記アーム部を、前記開口部から該筐体の内部に向かう第１方向にスライド可能に保持するアーム部保持部が設けられており、
前記閉塞部材は、前記アーム部から前記内部部材に向かう第２方向に起立すると共に前記内部部材に当接し得る規制リブを更に有する電子機器。
【請求項２】
前記アーム部保持部は、前記第１方向及び前記第２方向と略垂直な第３方向への前記規制リブの移動を規制する第３方向規制部を有する請求項１に記載の電子機器。
【請求項３】
前記内部部材における前記規制リブが当接する部分は、基準電位パターン層近傍である請求項１又は２に記載の電子機器。
【請求項４】
前記規制リブは、前記本体部から延びると共に、該アーム部の前記第１方向に沿う長さの１０〜７０％の長さを有している請求項１から３のいずれか１項に記載の電子機器。
【請求項５】
前記規制リブの前記第３方向に沿う厚みは、前記アーム部の該第３方向に沿う厚みの３０〜７０％である請求項１から４のいずれか１項に記載の電子機器。
【発明の詳細な説明】
【技術分野】
【０００１】
本発明は、携帯電話機などの電子機器に関する。
【背景技術】
【０００２】
近年、携帯電話機においては、その機能の高度化に伴い、その筐体の内部に各種コネクタ（外部機器と接続するためのケーブルコネクタ、外部メモリ等を装着可能なカードコネクタ、イヤホンコネクタ等）が設けられている。コネクタ等の電子部品は回路基板に実装されている。回路基板、シールドケース等の筐体を構成する部品は、開口部を有する筐体ケースに収納されている。コネクタは、該開口部に対峙しており、該開口部を通じて筐体の外部に露出する。また、開口部は、閉塞部材としてのキャップにより閉塞される。
【０００３】
筐体の開口部を閉塞するキャップとしては、各種形態があるが、例えば、開口部に嵌合される本体部と、本体部から延設されるアーム部とを有するキャップ（「アーム部付きキャップ」ともいう）がある。アーム部付きキャップによれば、アーム部を筐体の内部に挿入配置し、アーム部をスライド可能に保持する構造とすることにより、キャップが筐体にスライド可能に保持される。
【０００４】
アーム部付きキャップにおいては、その構造によっては筐体の大きさに影響を与える。例えば、筐体が厚みの薄い直方体形状で、開口部がその筐体の側面に設けられている携帯電話機を例として説明すると、アーム部がコネクタに対して筐体の厚み方向に配列するように筐体の内部に挿入されるアーム部付きキャップの場合には、コネクタとアーム部とが筐体の厚み方向に配列するため、筐体の厚みが増加し、筐体の小型化が阻害される。
【０００５】
また、アーム部が筐体の側面に近接して沿うように筐体の内部に挿入されるアーム部付きキャップの場合には、アーム部が筐体の側面に近接して配置されるため、筐体の幅が増加し、筐体の小型化が阻害される。
【０００６】
また、アーム部がコネクタに対して筐体の長手方向に配列するように筐体の内部に挿入されるアーム部付きキャップ（例えば、下記特許文献１参照）の場合には、アーム部に近接する回路基板の実装面における実装面積が減少し、筐体の小型化が阻害される。詳述すると、筐体の内部に挿入配置されたアーム部にはガタツキが生じ得るので、アーム部にガタツキが生じた場合にアーム部と接触する虞のある回路基板の位置には、電子部品を実装せず、これにより電子部品とアーム部との接触を回避している。そのため、回路基板の実装面には、利用されない領域が生じる。
【０００７】
このような問題点は、携帯電話機以外の携帯電子機器にも生じる場合があり、また携帯電子機器以外の電子機器においても生じる場合がある。
【０００８】
【特許文献１】特開２０００−３３２４４９号公報
【発明の開示】
【発明が解決しようとする課題】
【０００９】
従って、本発明は、閉塞部材のアーム部近傍における部材の実装面積を増加させることができる電子機器を提供することを目的とする。
【課題を解決するための手段】
【００１０】
本発明は、開口部を有する筐体と、該開口部を閉塞する閉塞部材とを備える電子機器であって、前記筐体は、内部部材を含み、前記閉塞部材は、前記開口部に嵌合される本体部と、該本体部から延設され前記筐体の内部に挿入配置されるアーム部とを有し、前記筐体の内部には、前記アーム部を、前記開口部から該筐体の内部に向かう第１方向にスライド可能に保持するアーム部保持部が設けられており、前記閉塞部材は、前記アーム部から前記内部部材に向かう第２方向に起立すると共に前記内部部材に当接し得る規制リブを更に有する電子機器に関する。
【００１１】
また、前記アーム部保持部は、前記第１方向及び前記第２方向と略垂直な第３方向への前記規制リブの移動を規制する第３方向規制部を有することが好ましい。
【００１２】
また、前記内部部材における前記規制リブが当接する部分は、基準電位パターン層近傍であることが好ましい。
【００１３】
また、前記規制リブは、前記本体部から延びると共に、該アーム部の前記第１方向に沿う長さの１０〜７０％の長さを有していることが好ましい。
【００１４】
また、前記規制リブの前記第３方向に沿う厚みは、前記アーム部の該第３方向に沿う厚みの３０〜７０％であることが好ましい。
【発明の効果】
【００１５】
本発明の電子機器によれば、閉塞部材のアーム部近傍における部材の実装面積を増加させることができる。
【発明を実施するための最良の形態】
【００１６】
以下、本発明を実施するための好ましい一実施形態について、図面を参照しながら説明する。まず、本発明の電子機器の一実施形態である携帯電話機１の基本構造について、図１及び図２を参照しながら説明する。
【００１７】
図１は、本発明の一実施形態の携帯電話機１について、操作部側筐体２と表示部側筐体３とを開いた状態で示す斜視図である。図２は、図１に示す携帯電話機１を折り畳んだ状態で表示部側筐体３のリアケース３０ｂ側から視た斜視図である。
【００１８】
本実施形態における携帯電話機１は、図１及び図２に示すように、折り畳み型の携帯電話機１であり、略直方体形状の操作部側筐体２と、略直方体形状の表示部側筐体３と、操作部側筐体２と表示部側筐体３とを連結する連結部４と、を備える。
【００１９】
操作部側筐体２の上端部と表示部側筐体３の下端部とは、連結部４を介して開閉可能に連結されている。つまり、連結部４は、表示部側筐体３と操作部側筐体２とを開閉軸Ｐを中心に開閉可能に連結している。
携帯電話機１は、連結部４を介して連結された操作部側筐体２と表示部側筐体３とを相対的に回転（回動）することにより、操作部側筐体２と表示部側筐体３とを互いに開いた状態（開放状態）にしたり、操作部側筐体２と表示部側筐体３とを折り畳んだ状態（折畳み状態）にすることができる。
【００２０】
次に、表示部側筐体３の詳細について説明する。表示部側筐体３は、図１及び図２に示すように、その外面が、フロントケース３０ａ及びリアケース３０ｂを主体として構成される。
【００２１】
表示部側筐体３の前面３ａは、フロントケース３０ａ及びカバー部材３３を主体として構成されている。前面３ａは、携帯電話機１を折り畳んだ状態で操作部側筐体２と向かい合う面である。表示部側筐体３の背面３ｂは、リアケース３０ｂを主体として構成されている。背面３ｂは、前面３ａとは反対側の面である。
【００２２】
表示部側筐体３内には、各種情報を表示させるメイン液晶モジュール３４が配置されており、メイン液晶モジュール３４は、その一方の面に設けられたメイン表示部３４ａが、透明部分を主体とするカバー部材３３を介して、フロントケース３０ａに形成された開口部から表示部側筐体３の前面３ａに露出するように配置されている。
【００２３】
また、フロントケース３０ａには、通話の相手側における音声を出力する音声出力部３１が形成されている。音声出力部３１は、表示部側筐体３の長手方向における連結部４とは反対の端部側に配置される。つまり、音声出力部３１は、携帯電話機１の開状態における表示部側筐体３側の端部近傍に配置される。
【００２４】
表示部側筐体３のリアケース３０ｂ側には、図２に示すように、各種情報を表示させるサブ液晶モジュール３６が配置されており、サブ液晶モジュール３６は、その一方の面に設けられたサブ表示部３６ａが、リアケース３０ｂの透明部分を介して表示部側筐体３の背面３ｂに露出するように配置されている。
【００２５】
メイン液晶モジュール３４及びサブ液晶モジュール３６は、それぞれ、メイン表示部３４ａ及びサブ表示部３６ａを構成する液晶パネル、この液晶パネルを駆動する駆動回路、この液晶パネルの背面側から光を照射するバックライト等の光源部などから構成される。
【００２６】
次に、操作部側筐体２の詳細について、図１から図１０を参照しながら説明する。図３は、図１に示す操作部側筐体２の分解斜視図である。図４は、フロントケース２１とリアケース２２とを分離させて、内部部材としての主回路基板８０の下面８０ｂ側を露出させた状態を示す分解斜視図である。図５は、キャップ９０を示す斜視図である。図６は、リアケース２２にキャップ９０が装着された状態を示す図で、（ａ）は斜視図、（ｂ）は平面図である。
【００２７】
図７（ａ）は、キャップ９０をリアケース２２から引き出した状態を示す平面図で、図７（ｂ）は、図７（ａ）に示す状態からアーム部９２を折り曲げた状態を示す平面図である。図８は、操作部側筐体２をリアケース２２側から視た背面図である。図９は、図８に示すＡ−Ａ線断面図である。図１０は、図９に示すＢ−Ｂ線断面図である。
【００２８】
操作部側筐体２は、図１から図４に示すように、その外面が、フロントケース２１及びリアケース２２を主体として構成されている。フロントケース２１は、操作部側筐体２の前面２ａ側を構成する。操作部側筐体２の前面２ａは、携帯電話機１を折り畳んだ状態で表示部側筐体３と向かい合う面である。リアケース２２は、前面２ａと反対側の面である背面２ｂ側を構成する。
また、操作部側筐体２の側面２ｃには、開口部２５が形成されている。開口部２５は、閉塞部材としてのキャップ９０により閉塞される。
【００２９】
フロントケース２１は、操作キー群１１が前面２ａに露出するように構成されている。操作キー群１１は、各種設定や電話帳機能やメール機能等の各種機能を作動させるための機能設定操作キー１３と、電話番号の数字やメール等の文字等を入力するためのテンキー等の入力操作キー１４と、各種操作における決定や上下左右方向のスクロール等を行う決定操作キー１５と、から構成されている。
【００３０】
操作キー群１１を構成する各キーそれぞれには、操作部側筐体２と表示部側筐体３との開閉状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００３１】
操作部側筐体２の前面２ａには、携帯電話機１の使用者が通話時に発した音声が入力される音声入力部１２が形成されている。音声入力部１２は、操作部側筐体２の長手方向における連結部４とは反対側の端部近傍に配置される。つまり、音声入力部１２は、携帯電話機１の開状態において長手方向の一方の端部側に配置される。
【００３２】
操作部側筐体２は、図３に示すように、内部部材である主回路基板８０と、縦長のシールドケース７０と、キー基板６０と、キー部材５０と、バッテリＱとを備えている。
主回路基板８０の上面８０ａ側（操作部側筐体２の前面２ａ側）及び下面８０ｂ側（操作部側筐体２の背面２ｂ側）には複数の電子部品８１が実装されている。複数の電子部品８１は、所定の組み合わせにより回路ブロック（図示せず）などを形成する。各種の電子部品８１のうち、開口部２５に対峙する（対向して位置する）部品を「第１電子部品８１ａ」という。
【００３３】
主回路基板８０の長さは、シールドケース７０の全長の約半分であり、例えばシールドケース７０の全長の３０〜７０％であり、好ましくはシールドケースの４０〜６０％である。シールドケース７０の約半分の長さを有する主回路基板８０は、シールドケース７０における連結部４寄りの約半分の領域に配設される。従って、シールドケース７０における操作部側筐体２の連結部４とは反対側の約半分の領域には、主回路基板８０は配設されていない。
主回路基板８０における所定箇所には、基準電位パターン層（図示せず）が設けられている。基準電位パターン層は、例えば、主回路基板８０の下面８０ｂにおける側縁部近傍に設けられている。
【００３４】
シールドケース７０は、主回路基板８０の上面８０ａ側に実装された複数の電子部品８１を覆う部材である。シールドケース７０は、導電性の部材からなり、主回路基板８０における回路ブロックを遮蔽するために設けられる。また、シールドケース７０は操作部側筐体２の強度を向上させる役目も果たす。
【００３５】
シールドケース７０の上面７０ａ側には、上面７０ａ側に起立する上面側リブ７１が設けられている。また、シールドケース７０の下面側には、下面側に起立する下面側リブ７３が形成されている。
シールドケース７０は、強度を確保する観点から金属から形成されていることが好ましいが、インサート成形により部分的に合成樹脂から形成することもできる。
【００３６】
キー基板６０は、シールドケース７０の上面７０ａ側に積層配置され、複数のキースイッチ６１〜６３を有する。キー基板６０は、複数の絶縁層（絶縁フィルム）の間に配線を挟み込んで形成されているフレキシブル基板である。キー基板６０は、キー部材５０側に、キートップとしての機能設定操作キー１３、入力操作キー１４及び決定操作キー１５にそれぞれ対応して、複数のキースイッチ６１、６２、６３を備える。キースイッチ６１、６２、６３は、椀状に湾曲して立体的に形成された金属板のメタルドームを有する。メタルドームは、その椀状形状の頂点が押圧されると、キー基板６０の表面に印刷された電気回路（図示せず）に形成されるスイッチ端子に接触して、電気的に導通するように構成される。
【００３７】
キー部材５０は、キー基板６０に積層配置され、複数のキースイッチ６１、６２、６３を押圧可能な押し子と、操作面を有するキートップとが、弾性を有するシリコンなどで構成されたシートに設けられて構成されている。
キー部材５０は、シリコンゴム製の基体シート５１の表面に操作キー群１１のキートップが接着剤により貼り付けられて構成される。キー部材５０における操作キー群１１を構成する機能設定操作キー１３、入力操作キー１４及び決定操作キー１５は、キー基板６０におけるキースイッチ６１、６２、６３と対向する位置に配置されると共に、フロントケース２１に形成されるキー孔１３ａ、１４ａ、１５ａから露出するように配置される。
【００３８】
フロントケース２１における操作部側筐体２の前面２ａ側には、キー孔１３ａ、１４ａ、１５ａが形成されている。キー孔１３ａ、１４ａ、１５ａのそれぞれからは、機能設定操作キー１３の押圧面、入力操作キー１４の押圧面、及び決定操作キー１５の押圧面が露出する。この露出した機能設定操作キー１３の押圧面、入力操作キー１４の押圧面及び決定操作キー１５の押圧面を押し下げるように押圧することで、対応するキースイッチ６１、６２、６３それぞれに設けられるメタルドームにおける椀状形状の頂点は、押圧されて、スイッチ端子に接触して電気的に導通する。
【００３９】
フロントケース２１及びリアケース２２は操作部側筐体２の外面を形成する。フロントケース２１とリアケース２２とは、互いの凹状の内側面が向き合うように配置され、互いの外周縁が重なり合うようにして結合される。また、フロントケース２１とリアケース２２との間には、キー部材５０、キー基板６０、シールドケース７０及び主回路基板８０が挟まれるようにして内蔵される。つまり、主回路基板８０を覆うようにしてシールドケース７０が積層配置され、また、シールドケース７０にキー基板６０が積層配置され、キー基板６０にキー部材５０が積層配置される。
【００４０】
リアケース２２の一端側には、その厚み方向（背面から前面に向かう方向）に貫通したバッテリ収納空間２３が形成されている。操作部側筐体２が形成された状態において、バッテリ収納空間２３における前面側（シールドケース７０の側）は、シールドケース７０の下面によって封鎖される。また、バッテリ収納空間２３における背面側は、リアケース２２と取り外し可能な蓋部２４によって開放又は封鎖自在となっている。バッテリＱは、リアケース２２のバッテリ収納空間２３に背面側から収納され、バッテリ収納空間２３が蓋部２４によって封鎖されることにより、操作部側筐体２に装着される。
【００４１】
主回路基板８０とバッテリＱとは、操作部側筐体２を平面視した状態（操作部側筐体２を厚み方向に視た状態）において互いに重なることなく、操作部側筐体２の長手方向に配列している。バッテリＱは、シールドケース７０の下面における主回路基板８０が配置されていない領域に対向するように、配置される。
【００４２】
図３及び図７に示すように、操作部側筐体２の側面２ｃには開口部２５が形成されている。操作部側筐体２の側面２ｃの内部には、第１電子部品であるコネクタ８１ａが配置されている。コネクタ８１ａとしては、例えば、外部機器と接続するためのケーブルコネクタ、外部メモリ等を装着可能なカードコネクタ、イヤホンコネクタなどが挙げられ、本実施形態においてはイヤホンコネクタである。
【００４３】
図４に示すように、コネクタ８１ａは、主回路基板８０の下面８０ｂ側（操作部側筐体２の背面２ｂ側）に実装されている。つまり、コネクタ８１ａは、主回路基板８０に実装された複数の電子部品８１のうちの一つである。コネクタ８１ａは、開口部２５に対峙しており、開口部２５を通じて露出している。
【００４４】
開口部２５は、図５に示す閉塞部材としてのキャップ９０により閉塞される。つまり、図６に示すように、キャップ９０は、開口部２５に嵌合して開口部２５を閉塞し、コネクタ８１ａが操作部側筐体２の外部に露出しないようにすることができる。また、図７に示すように、キャップ９０は、開口部２５に嵌合しない状態にすることも可能であり、この場合には、コネクタ８１ａは開口部２５を通じて操作部側筐体２の外部に露出する。
【００４５】
次に、キャップ９０について詳述する。図５から図７に示すように、キャップ９０は、開口部２５に嵌合される本体部９１と、本体部９１から延設されるアーム部９２と、アーム部９２から起立する規制リブ９３と、アーム部９２の先端部から突出する係合突起９４とを有する。
【００４６】
本体部９１は、操作部側筐体２の開口部２５に嵌合し得る形状及び大きさを有する略矩形板状の部材からなる。
アーム部９２は、弾性変形可能な略矩形板状の部材からなる。アーム部９２の基端部は、本体部９１の一方の短辺（後述するＹ方向に沿う辺）側に偏って位置する。アーム部９２は、本体部９１の内面（コネクタ８１ａ側の面）から、第１方向であるＸ１方向に延設され、操作部側筐体２の内部に挿入配置される。
【００４７】
規制リブ９３は、アーム部９２から主回路基板８０に向かう第２方向であるＹ１方向に起立すると共に、主回路基板８０に当接し得る。「主回路基板８０に当接し得る」とは、アーム部９２に、主回路基板８０に向かう方向のガタツキが生じそうになったときに、規制リブ９３の先端部が主回路基板８０に当接することができればよく、通常の使用態様において、必ずしも規制リブ９３が主回路基板８０に当接しなくてもよい。
また、主回路基板８０における規制リブ９３が当接する部分は、基準電位パターン層（図示せず）近傍であることが好ましい。
【００４８】
係合突起９４は、アーム部９２の先端部から、Ｘ１方向及びＹ１方向に略垂直な第３方向であるＺ方向両側（Ｚ１方向、Ｚ２方向）に突出する。
【００４９】
ここで、「Ｘ１方向」とは、キャップ９０における本体部９１から筐体（操作部側筐体２）の内部に向かう方向である。「Ｘ２方向」とは、Ｘ１方向とは反対向きの方向である。Ｘ１方向及びＸ２方向を合わせて「Ｘ方向」という。本実施形態におけるＸ方向は、本体部９１の内面（コネクタ８１ａ側の面）から本体部９１に対して略垂直方向に延びる方向である。
【００５０】
「Ｙ１方向」とは、アーム部９２から主回路基板８０に向かう方向である。「Ｙ２方向」とは、Ｙ１方向とは反対向きの方向である。Ｙ１方向及びＹ２方向を合わせて「Ｙ方向」という。本実施形態におけるＹ方向は、アーム部９２の幅方向である。
「Ｚ方向」とは、Ｘ方向及びＹ方向に略垂直な方向である。Ｚ方向のうち、アーム部９２からコネクタ８１ａ側に向かう方向を「Ｚ１方向」といい、Ｚ１方向とは反対向きの方向を「Ｚ２方向」という。
【００５１】
操作部側筐体２の内部には、アーム部９２を、Ｘ方向にスライド可能に保持するアーム部保持部２７（図１０参照）が設けられている。本体部９１が開口部２５に嵌合された状態で、アーム部９２は、アーム部保持部２７に、スライド方向であるＸ方向に延びるように配置される。つまり、キャップ９０は、操作部側筐体２にＸ方向にスライド可能に取り付けられる。
【００５２】
アーム部９２における主回路基板８０側（Ｙ１方向）の端面には、Ｙ１方向に起立する規制リブ９３が設けられている。規制リブ９３は、本体部９１の内面（アーム部９２の基端部）からアーム部９２の先端部に向けて延びているが、アーム部９２の先端部には達していない。規制リブ９３の（Ｘ方向に沿う）長さは、アーム部９２の（Ｘ方向に沿う）長さの１０から７０％であることが好ましく、２０から５０％であることが更に好ましい。また、規制リブ９３の長さは、好ましくは２から６ｍｍ、更に好ましくは３から５ｍｍである。
【００５３】
図６及び図１０に示すように、規制リブ９３におけるＺ１方向側の面は、アーム部９２におけるＺ１方向側の面と面一（ツライチ）となっている。ここで、「面一」とは、両方の面の間に、巨視的に視て段差がないことをいう。一方、規制リブ９３におけるＺ２方向側の面は、アーム部９２におけるＺ２方向側の面よりもＺ１方向に後退している。このように、規制リブ９３の厚みはアーム部９２の厚みよりも薄くなっている。
【００５４】
規制リブ９３の（Ｚ方向に沿う）厚みは、アーム部９２の（Ｚ方向に沿う）厚みの３０から７０％であることが好ましく、４０から６０％であることが更に好ましい。規制リブ９３の厚みは、好ましくは０．５から１．５ｍｍ、更に好ましくは０．６から０．８ｍｍである。
尚、規制リブ９３の厚みは、本実施形態においては一定であるが、一定でなくてもよい（位置によって異ならせてもよい）。
【００５５】
図３、図６及び図７に示すように、操作部側筐体２におけるコネクタ収納部２６には、コネクタ８１ａが収納されて配置される。
コネクタ収納部２６は、リアケース２２における開口部２５と対峙する位置に、平面視でコ字状の周壁２６ａが設けられることにより形成される。コネクタ収納部２６の周壁２６ａは、開口部２５以外の部分において、リアケース２２の内面からフロントケース２１に向けて、平面視でコ字状に立設している。
【００５６】
コネクタ８１ａは、コネクタ収納部２６に収納配置され、開口部２５を介して外部に露出可能に配置される。この開口部２５には、本体部９１とアーム部９２とを有するキャップ９０が、操作部側筐体２の内部に形成されるアーム部保持部２７によりスライド可能に保持される。
【００５７】
アーム部保持部２７は、Ｙ方向への規制リブ９３の移動を規制する第２方向規制部と、Ｚ方向への規制リブ９３の移動を規制する第３方向規制部とを備えている。そのため、キャップ９０は、アーム部９２がアーム部保持部２７によりＹ方向及びＺ方向への移動が規制された状態でリアケース２２に取り付けられる。
【００５８】
図６、図７及び図１０に示すように、前記第３方向規制部は、一対の第１リブ係合部２７ａ及び第２リブ係合部２７ｂを主体として構成される。第１リブ係合部２７ａは、コネクタ収納部２６の周壁２６ａにおけるアーム部９２に沿う部分における開口部２５の近傍に、周壁２６ａと一体的に設けられている。
第２リブ係合部２７ｂは、第２リブ係合部２７ｂと第１リブ係合部２７ａとの間に、アーム部９２及び規制リブ９３を挟み込むように、リアケース２２の内面から起立している。
【００５９】
図１０に示すように、第２リブ係合部２７ｂの先端部（主回路基板８０側の端部）には、第１リブ係合部２７ａ側に突出する規制突起２７ｃが形成されている。規制突起２７ｃは、規制リブ９３に対応する位置に規制リブ９３に対応する高さで形成されている。
前記第３方向規制部が前述したように構成されているため、Ｚ１方向へのアーム部９２の移動は、主として第１リブ係合部２７ａによって規制される。Ｚ２方向へのアーム部９２の移動は、主として第２リブ係合部２７ｂによって規制される。Ｚ２方向への規制リブ９３の移動は、主として規制突起２７ｃによって規制される。
【００６０】
第１リブ係合部２７ａ及び第２リブ係合部２７ｂは、開口部２５の近傍のみに設けられており、図７に示すように、キャップ９０を引き出したときに、アーム部９２の係合突起９４の突き当て部として（換言すると、アーム部９２の抜け止めとして）機能する。
【００６１】
図９及び図１０に示すように、前記第２方向規制部は、主回路基板８０の下面８０ｂと、一対の第１リブ係合部２７ａと第２リブ係合部２７ｂとの間に位置するリアケース２２の内面とから構成される。
前記第２方向規制部がこのように構成されているため、Ｙ１方向へのアーム部９２の移動は、主として主回路基板８０の下面８０ｂ及び第２リブ係合部２７ｂの規制突起２７ｃによって規制される。Ｙ２方向へのアーム部９２の移動は、主としてリアケース２２の内面によって規制される。
【００６２】
図６に示すように、アーム部９２は、本体部９１の内面が周壁２６ａ、第１リブ係合部２７ａ等に突き当たることにより、それ以上のＸ１方向への移動が規制される。
図７に示すように、アーム部９２は、係合突起９４が第１リブ係合部２７ａ及び第２リブ係合部２７ｂ等に突き当たることにより、それ以上のＸ２方向への移動が規制される。
【００６３】
図７（ａ）に示すように、キャップ９０を操作部側筐体２から引き出すと開口部２５が開口し、コネクタ８１ａが露出する。キャップ９０を単に引き出した状態では、本体部９１が開口部２５の前に位置し、コネクタ８１ａと対となる部品（図示せず）の接続が阻害される。そのため、図７（ｂ）に示すように、アーム部９２は、アーム部９２における規制リブ９３が設けられていない部分において、開口部２５から離れる方向に折り曲げられる。アーム部９２における規制リブ９３が設けられている部分は、規制リブ９３の存在により剛性が高く、折り曲げられにくい。
【００６４】
本実施形態の携帯電話機１によれば、以下に示す各効果が奏される。
本実施形態の携帯電話機１においては、キャップ９０は、アーム部９２から主回路基板８０に向かうＹ１方向に起立すると共に主回路基板８０に当接し得る規制リブ９３を有している。そのため、アーム部９２に設けられた規制リブ９３によって、Ｙ１方向へのアーム部９２の移動が規制され、Ｙ１方向へのアーム部９２のガタツキを防止することができる。その結果、アーム部９２が主回路基板８０に実装された電子部品８１等に接触しにくくなり、主回路基板８０の下面８０ｂ側において、アーム部９２の近傍にも電子部品８１を実装することが可能となり、延いては操作部側筐体２の小型化を図ることができる。
【００６５】
つまり、操作部側筐体２の内部に挿入配置されたアーム部９２がスライドする際のガタツキを抑制することができるため、従来においてはキャップのアーム部のガタツキに起因するアーム部との接触を考慮して電子部品を実装することができなかった領域に、電子部品を実装することができるため、主回路基板８０の下面８０ｂ側における実装面積を増加させることができる。
【００６６】
また、アーム部保持部２７は、第３方向であるＺ方向への規制リブ９３の移動を規制する第３方向規制部（２７ａ、２７ｂ）を有している。そのため、Ｚ方向へのアーム部９２の移動も規制され、Ｚ方向へのアーム部９２のガタツキを防止することができ、主回路基板８０の下面８０ｂ側における実装面積を一層増加させることができる。
【００６７】
また、主回路基板８０における規制リブ９３が当接する部分は基準電位パターン層（図示せず）近傍である。基準電位パターン層は、一般的に主回路基板８０の縁部近傍に設けられているため、主回路基板８０における規制リブ９３が当接する部分は、主回路基板８０の縁部近傍（本実施形態においては、主回路基板８０の側縁部近傍）となる。従って、規制リブ９３の存在に起因する主回路基板８０における実装面積の減少を極力抑制することができる。
【００６８】
規制リブ９３は、本体部９１から延びているが、アーム部９２の長さよりも短く、そのため、アーム部９２の先端部に達しておらず、アーム部９２の先端部近傍には設けられていない。このように、規制リブ９３は、アーム部９２の先端部近傍に設けられていないため、その分、主回路基板８０の下面８０ｂ側における電子部品８１の実装面積を大きくすることができる。なお、規制リブ９３が本体部９１側（つまりアーム部９２の基端部側）の一定範囲に設けられていれば、アーム部保持部２７によるアーム部９２のスライドは可能である。
【００６９】
また、アーム部９２の先端部近傍には、キャップ９０を引き出した状態におけるアーム部９２の折り曲げやすさが必要であるが、アーム部９２の先端部近傍に規制リブ９３が設けられていないため、アーム部９２の先端部近傍における剛性の低さ（折り曲げやすさ）を確保でき、アーム部９２をその先端部近傍において折り曲げやすい。
【００７０】
以上、本発明の一実施形態について説明したが、本発明は前述した実施形態に制限されるものではなく、適宜変更が可能である。
例えば、第１方向であるＸ方向は、前記実施形態においては、開口部２５から本体部９１に対して略垂直方向に延びる方向であるが、これに制限されず、開口部２５に対して垂直な方向から傾いた方向でもよい。
本発明は、前記実施形態においては操作部側筐体２に適用されているが、これに制限されず、例えば表示部側筐体３に適用することもできる。
【００７１】
前記実施形態における連結部４は、表示部側筐体３と操作部側筐体２とを開閉軸Ｐを中心に開閉可能に連結しているが、連結部４は、表示部側筐体３と操作部側筐体２とを開閉軸Ｐを中心に開閉可能に連結すると共に、開閉軸Ｐに直交する回動軸を中心に回動可能に連結するいわゆる２軸ヒンジ機構を備えていてもよい。
【００７２】
また、本発明の電子機器は、前記実施形態のような折り畳み式ではなく、操作部側筐体２と表示部側筐体３とを重ね合わせた状態から一方の筐体を一方向にスライドさせるようにしたスライド式の電子機器であってもよい。また、操作部側筐体２と表示部側筐体３との重ね合せ方向に沿う軸線を中心に一方の筐体を回転させるようにした回転式（リボルバ）の電子機器であってもよい。
【００７３】
本発明は、携帯電話機以外の携帯電子機器に適用することができ、また携帯電子機器以外の電子機器にも適用することができる。携帯電話機以外の携帯電子機器としては、例えば、ＰＨＳ（登録商標：Ｐｅｒｓｏｎａｌ  Ｈａｎｄｙ  ｐｈｏｎｅ  Ｓｙｓｔｅｍ）、ポータブルゲーム機、ポータブルナビゲーション装置、ＰＤＡ（Ｐｅｒｓｏｎａｌ  Ｄｉｇｉｔａｌ  Ａｓｓｉｓｔａｎｔ）、ノートパソコン、操作部を備えるＥＬディスプレイ又は液晶ディスプレイが挙げられる。
【００７４】
更に、携帯電子機器以外の電子機器としては、例えば、電子辞書、電卓、電子手帳、デジタルカメラ、ビデオカメラ、ラジオ等が挙げられるが、これらのみに限定されるものではない。
内部部材は、回路基板に制限されず、例えば、シールドケース、バッテリ等の各種電子部品等、任意のものが用いられる。
【図面の簡単な説明】
【００７５】
【図１】本発明の一実施形態の携帯電話機１について、操作部側筐体２と表示部側筐体３とを開いた状態で示す斜視図である。
【図２】図１に示す携帯電話機１を折り畳んだ状態で表示部側筐体３のリアケース３０ｂ側から視た斜視図である。
【図３】図１に示す操作部側筐体２の分解斜視図である。
【図４】フロントケース２１とリアケース２２とを分離させて、主回路基板８０の下面８０ｂ側を露出させた状態を示す分解斜視図である。
【図５】キャップ９０を示す斜視図である。
【図６】リアケース２２にキャップ９０が装着された状態を示す図で、（ａ）は斜視図、（ｂ）は平面図である。
【図７】（ａ）は、キャップ９０をリアケース２２から引き出した状態を示す平面図で、（ｂ）は、（ａ）に示す状態からアーム部９２を折り曲げた状態を示す平面図である。
【図８】操作部側筐体２をリアケース２２側から視た背面図である。
【図９】図８に示すＡ−Ａ線断面図である。
【図１０】図９に示すＢ−Ｂ線断面図である。
【符号の説明】
【００７６】
１  携帯電話機（電子機器）
２  操作部側筐体（筐体）
２１  フロントケース
２２  リアケース
２５  開口部
２７  アーム部保持部
３  表示部側筐体
８０  主回路基板（内部部材）
８１ａ  コネクタ（第１電子部品）
９０  キャップ（閉塞部材）
９１  本体部
９２  アーム部
９３  規制リブ
Ｘ（Ｘ１，Ｘ２）  Ｘ方向（第１方向）
Ｙ（Ｙ１，Ｙ２）  Ｙ方向（第２方向）
Ｚ（Ｚ１，Ｚ２）  Ｚ方向（第３方向）
【図１】
2009182729.tif 000003
【図２】
2009182729.tif 000004
【図３】
2009182729.tif 000005
【図４】
2009182729.tif 000006
【図５】
2009182729.tif 000007
【図６】
2009182729.tif 000008
【図７】
2009182729.tif 000009
【図８】
2009182729.tif 000010
【図９】
2009182729.tif 000011
【図１０】
2009182729.tif 000012